(57)【要約】【課題】細心の注意を払うことなく容易に取り付け可能で、無理な姿勢をしいることなくまた熟練を要することなく扉を着脱可能なヒンジを提供する。【解決手段】第１の係止部３２４と第２の係止部３２５が形成されたヒンジ本体部３２と、枠体１０に取り付け可能、ヒンジ本体部３２を収容可能で、ヒンジ本体部３２の第１の係止部３２４と係止自在な第１の被係止部３１５とヒンジ本体部３２が略収容された状態で、ヒンジ本体部３２の第２の係止部３２５が係止する第２の被係止部３１６とを有するマウンティングプレート３１と、一端側が扉２０の所定の位置に取り付けられた取付用座金３４に回転可能に軸支され、他端側がヒンジ本体部の所定の位置に軸支されたアーム体３３と、ヒンジ本体部３２の第２の係止部３２５の第２の被係止部３１６に対する係止状態をロック可能で、このロック状態を解除可能なロック部３５とを有する。【選択図】      図１０
2005027780.tif 000002
【特許請求の範囲】
【請求項１】
第１の係止部と第２の係止部が形成された本体部と、
上記本体部を収容可能で、上記本体部の第１の係止部と係止自在な第１の被係止部と、上記本体部が略収容された状態で、上記本体部の第２の係止部が係止する第２の被係止部とを有するマウンティング部と、
上記本体部が所定の位置に回転可能に軸支された取付用座具と、
上記本体部の第２の係止部の上記第２の被係止部に対する係止状態をロック可能で、当該ロック状態を解除可能なロック部と
を有するヒンジ。
【請求項２】
扉を枠体に回転可能に取り付けるためのヒンジであって、
第１の係止部と第２の係止部が形成された本体部と、
上記本体部を収容可能で、上記本体部の第１の係止部と係止自在な第１の被係止部と、上記本体部が略収容された状態で、上記本体部の第２の係止部が係止する第２の被係止部とを有し、上記枠体に取り付け可能なマウンティング部と、
上記本体部が所定の位置に回転可能に軸支された取付用座具と、
上記本体部の第２の係止部の上記第２の被係止部に対する係止状態をロック可能で、当該ロック状態を解除可能なロック部と
を有するヒンジ。
【請求項３】
第１の係止部と第２の係止部が形成された本体部と、
上記本体部を収容可能で、上記本体部の第１の係止部と係止自在な第１の被係止部と、上記本体部が略収容された状態で、上記本体部の第２の係止部が係止する第２の被係止部とを有するマウンティング部と、
取付用座具と、
一端側が上記取付用座具の所定の位置に回転可能に軸支され、他端側が上記本体部の所定の位置に軸支されたアーム体と、
上記本体部の第２の係止部の上記第２の被係止部に対する係止状態をロック可能で、当該ロック状態を解除可能なロック部と
を有するヒンジ。
【請求項４】
扉を枠体に回転可能に取り付けるためのヒンジであって、
第１の係止部と第２の係止部が形成された本体部と、
上記本体部を収容可能で、上記本体部の第１の係止部と係止自在な第１の被係止部と、上記本体部が略収容された状態で、上記本体部の第２の係止部が係止する第２の被係止部とを有し、上記枠体に取り付け可能なマウンティング部と、
一端側が上記扉の所定の位置に回転可能に軸支され、他端側が上記本体部の所定の位置に軸支されたアーム体と、
上記本体部の第２の係止部の上記第２の被係止部に対する係止状態をロック可能で、当該ロック状態を解除可能なロック部と
を有するヒンジ。
【請求項５】
上記ロック部は、
ロック解除レバーと、
上記ロック解除レバーと連結され、上記第２の係止部の上記第２の被係止部との係止可能領域に臨むように付勢されたロック用爪片と、
上記ロック解除レバーを所定の付勢力をもって付勢し、上記ロック用爪片を上記第２の係止部の上記第２の被係止部との係止可能領域に臨ませる付勢手段と、を有する
請求項１、２、３、または４記載のヒンジ。
【請求項６】
上記本体部の第２の係止部を上記マウンティング部の第２の被係止部に係止させるときには、上記第２の被係止部により上記ロック用爪片に対して上記付勢手段の付勢力に抗する押圧力を付与しながら、上記ロック用爪片を上記係止可能領域から退避する方向に移動させ、上記第２の係止部が上記第２の被係止部との係止状態を維持できる位置で上記押圧力を解除して、上記ロック用爪片を上記係止可能領域に復帰させて上記第２の係止部と上記第２の被係止部との係止状態をロックし、
上記第２の係止部と上記第２の被係止部とのロック状態を解除するときは、ロック解除レバーに対して上記付勢手段の付勢力に抗する力を受けて上記ロック用爪片を上記係止可能領域から退避させる
請求項４記載のヒンジ。
【請求項７】
上記ロック部は、上記本体部の第１の係止部が上記マウンティング部の第１の被係止部に対して係止状態にあるときのみ、上記本体部の第２の係止部の上記マウンティング部の第２の被係止部に対する係止状態をロック可能に配置されている
請求項１から６のいずれか記載のヒンジ。
【請求項８】
上記取付用座具が上記本体部に対して所定角度をもって開いた状態を保持するように上記アーム体を所定の付勢力をもって付勢する付勢手段を、さらに有する
請求項１、３、５、６、または７記載のヒンジ。
【請求項９】
上記アーム体の一端は、取付用座具に対して回転可能に軸支され、上記取付用座具が上記扉の所定の位置に取り付けられ、
上記取付用座具が上記本体部に対して所定角度をもって開いた状態を保持するように上記アーム体を所定の付勢力をもって付勢する付勢手段を、さらに有する
請求項２、４、５、６、または７記載のヒンジ。
【請求項１０】
上記本体部が上記マウンティング部に収容されているとき、上記ロック解除レバーも上記マウンティング部に収容されている
請求項１から９のいずれか記載のヒンジ。
【発明の詳細な説明】
【０００１】
【発明の属する技術分野】
本発明は、扉を枠体に回転可能に取り付けるためのヒンジに係り、特に、パチンコ機盤等の遊技機の開閉扉を必要に応じて自在に着脱可能とするヒンジに関するものである。
【０００２】
【従来の技術】
既知のとおり、パチンコ機などの遊技機においては、一般的に、図１７に示すように、扉取付用枠体１における開口部コーナ１ａにおいて、その側板１ｂや底板１ｃ、そして図示しない天板などにピボットヒンジ２の第１ヒンジ部２ａを取り付ける。
一方、パチンコ機盤等による開閉扉３における枠体３ａにピボットヒンジ２の第２ヒンジ部２ｂを取り付ける。
そして、開閉扉３を持ち上げて第２ヒンジ部２ｂを、取付用枠体１側のピボットヒンジ２の第１ヒンジ部２ａに嵌め合わせて軸支した状態とする。
【０００３】
ところが、パチンコ機などにおいては、図１７に示すように、取付用枠体１側の側板１ｂに沿ってパチンコの玉貸機４が前面側に突出していたり、その他側板１ｂの図中右手に各種の障害物が配設されている場合が多い。
この場合、図１７の例では、パチンコ機盤の盤面、すなわち開閉扉３の前面３ｂが玉貸機４の衝突してしまうことになることから、持ち上げた開閉扉３は限られた範囲内でしか自由に動かすことができず、その結果、開閉扉３の取付用枠体１に対する着脱作業がかなり難渋するという不利益がある。
【０００４】
そこで、開閉扉３の取付用枠体１に対する着脱作業を容易するためのヒンジ構造が種々提案されている（たとえば、特許文献１参照）。
【０００５】
特許文献１に記載のヒンジは、取付用枠体側に、回動リンクを用いたスライド式のヒンジを固定し、回動リンクには、開閉扉取付用回動腕を設けて、回動リンクおよび開閉扉取付用回動腕を取付用枠体側からスライドさせて取り出した（突出させた）状態で、開閉扉側に形成した爪片を開閉扉取付用回動腕に対して係止させて取り付ける構造を有している。
【０００６】
この特許文献１に記載のヒンジは、玉貸機等の障害物があっても、開閉扉取付用回動腕に対して、広範囲の自由度をもって開閉扉の着脱作業を行うことができ、作業労力と効率を飛躍的に向上させることができる利点がある。
【０００７】
【特許文献１】
特開２００２−１８０７２９号公報
【０００８】
【発明が解決しようとする課題】
上述した特許文献１のヒンジは、広範囲の自由度をもって開閉扉の着脱作業を行うことが可能であるが、以下に示すような不利益がある。
【０００９】
特許文献１に記載のヒンジは、取付用枠体側に固定された回動リンクおよび開閉扉取付用回動腕を取付用枠体側からスライドさせて取り出した状態で、開閉扉側に形成した爪片を開閉扉取付用回動腕に対して係止させて取り付ける構造であることから、平板状の回動リンクに対して、たとえば２０ｋｇ程度の重量を有する開閉扉を係止させるとき、あるいは係止状態を解除し取り外すときに、回動リンクおよび開閉扉取付用回動腕に対して、可能な限り負荷がかからないよう、互いの位置を調整しながら係止させる必要がある。
したがって、特許文献１に記載のヒンジは、広範囲の自由度をもって開閉扉の着脱作業を行うことができるものの、取り付け、取り外し（着脱）作業自体に、ある程度煩雑な手間がかかり、また、開閉扉の１人による着脱作業には熟練を要し、結果的に、複数人（たとえば２人）による作業を行わざるを得ない。
【００１０】
また、特許文献１に記載のヒンジは、複雑な構造を有するヒンジ本体を、作業自体がある程度制約を受ける取付用枠体側に取り付ける必要があることから、ヒンジの取り付け作業自体にも制約を受ける。
【００１１】
本発明は、かかる事情に鑑みてなされたものであり、その目的は、扉の大きさにかかわらず、細心の注意を払うことなく容易に取り付けることが可能で、また、無理な姿勢をしいることなく、また熟練を要することなく、扉を着脱可能で、また、ヒンジ本体の取り付け作業にも制約を受けることのないヒンジを提供することにある。
【００１２】
【課題を解決するための手段】
上記目的を達成するため、本発明の第１の観点は、第１の係止部と第２の係止部が形成された本体部と、上記本体部を収容可能で、上記本体部の第１の係止部と係止自在な第１の被係止部と、上記本体部が略収容された状態で、上記本体部の第２の係止部が係止する第２の被係止部とを有するマウンティング部と、上記本体部が所定の位置に回転可能に軸支された取付用座具と、上記本体部の第２の係止部の上記第２の被係止部に対する係止状態をロック可能で、当該ロック状態を解除可能なロック部とを有する。
【００１３】
本発明の第２の観点は、扉を枠体に回転可能に取り付けるためのヒンジであって、第１の係止部と第２の係止部が形成された本体部と、上記本体部を収容可能で、上記本体部の第１の係止部と係止自在な第１の被係止部と、上記本体部が略収容された状態で、上記本体部の第２の係止部が係止する第２の被係止部とを有し、上記枠体に取り付け可能なマウンティング部と、上記本体部が所定の位置に回転可能に軸支された取付用座具と、上記本体部の第２の係止部の上記第２の被係止部に対する係止状態をロック可能で、当該ロック状態を解除可能なロック部とを有する。
【００１４】
本発明の第３の観点は、第１の係止部と第２の係止部が形成された本体部と、上記本体部を収容可能で、上記本体部の第１の係止部と係止自在な第１の被係止部と、上記本体部が略収容された状態で、上記本体部の第２の係止部が係止する第２の被係止部とを有するマウンティング部と、取付用座具と、一端側が上記取付用座具の所定の位置に回転可能に軸支され、他端側が上記本体部の所定の位置に軸支されたアーム体と、上記本体部の第２の係止部の上記第２の被係止部に対する係止状態をロック可能で、当該ロック状態を解除可能なロック部とを有する。
【００１５】
本発明の第４の観点は、扉を枠体に回転可能に取り付けるためのヒンジであって、第１の係止部と第２の係止部が形成された本体部と、上記本体部を収容可能で、上記本体部の第１の係止部と係止自在な第１の被係止部と、上記本体部が略収容された状態で、上記本体部の第２の係止部が係止する第２の被係止部とを有し、上記枠体に取り付け可能なマウンティング部と、一端側が上記扉の所定の位置に回転可能に軸支され、他端側が上記本体部の所定の位置に軸支されたアーム体と、上記本体部の第２の係止部の上記第２の被係止部に対する係止状態をロック可能で、当該ロック状態を解除可能なロック部とを有する。
【００１６】
好適には、上記ロック部は、ロック解除レバーと、上記ロック解除レバーと連結され、上記第２の係止部の上記第２の被係止部との係止可能領域に臨むように付勢されたロック用爪片と、上記ロック解除レバーを所定の付勢力をもって付勢し、上記ロック用爪片を上記第２の係止部の上記第２の被係止部との係止可能領域に臨ませる付勢手段と、を有する。
【００１７】
好適には、上記本体部の第２の係止部を上記マウンティング部の第２の被係止部に係止させるときには、上記第２の被係止部により上記ロック用爪片に対して上記付勢手段の付勢力に抗する押圧力を付与しながら、上記ロック用爪片を上記係止可能領域から退避する方向に移動させ、上記第２の係止部が上記第２の被係止部との係止状態を維持できる位置で上記押圧力を解除して、上記ロック用爪片を上記係止可能領域に復帰させて上記第２の係止部と上記第２の被係止部との係止状態をロックし、上記第２の係止部と上記第２の被係止部とのロック状態を解除するときは、ロック解除レバーに対して上記付勢手段の付勢力に抗する力を受けて上記ロック用爪片を上記係止可能領域から退避させる。
【００１８】
また、上記ロック部は、上記本体部の第１の係止部が上記マウンティング部の第１の被係止部に対して係止状態にあるときのみ、上記本体部の第２の係止部の上記マウンティング部の第２の被係止部に対する係止状態をロック可能に配置されている。
【００１９】
また、好適には、上記取付用座具が上記本体部に対して所定角度をもって開いた状態を保持するように上記アーム体を所定の付勢力をもって付勢する付勢手段を、さらに有する。
【００２０】
好適には、上記アーム体の一端は、取付用座具に対して回転可能に軸支され、上記取付用座具が上記扉の所定の位置に取り付けられ、上記取付用座具が上記本体部に対して所定角度をもって開いた状態を保持するように上記アーム体を所定の付勢力をもって付勢する付勢手段を、さらに有する。
【００２１】
また、好適には、  上記本体部が上記マウンティング部に収容されているとき、上記ロック解除レバーも上記マウンティング部に収容されている。
【００２２】
【発明の実施の形態】
以下、本発明の実施の形態を添付図面に関連付けて説明する。なお、説明の便宜上、一部の図面においては、透視図法を用いて示している。
【００２３】
図１は、本発明に係るヒンジを採用した扉装置の一実施形態を示す外観図であって、扉を扉取付用枠体に取り付ける前の外観図である。
また、図２は、本実施形態に係る上側ヒンジユニットの分解斜視図であり、図３は、本実施形態に係る下側ヒンジユニットの分解斜視図である。
【００２４】
本扉装置は、図１に示すように、扉取付用枠体１０、開閉扉２０、上側ヒンジユニット３０、および下側ヒンジユニット４０を有する。
【００２５】
扉取付用枠体１０は、天板１１、側板１２，１３、および底板１４により方形状の開口部１５が形成されている。天板１１、および側板１２，１３は同一の幅をもって形成され、底板１４は前面側にせり出した台座をなすように形成されている。
扉取付用枠体１０は、天板１１の図中の前面の左端側には、上側ヒンジユニット３０のマウンティングプレート３１を収容可能なプレート収容部１１ａがマウンティングプレート３１の長さおよび幅と略同一の寸法をもって切り欠いた形態で形成されている。このプレート収容部１１ａにマウンティングプレート３１がネジ等により取り付けられ、固定される。
また、扉取付用枠体１０は、底板１４の図中の左端側上面１４ａに、下側ヒンジユニット４０のマウンティングプレート４１がネジ等により取り付けられ、固定される。
【００２６】
開閉扉２０は、上側ヒンジユニット３０、および下側ヒンジユニット４０によって扉取付用枠体１０の図中左端側に回転可能にかつ着脱可能に取り付けられる。
図１においては、裏面側から見た開閉扉２０を通常の扉のように平板状に示しているが、たとえば前面側および裏面側に盤面が突出するように形成された遊技機であるパチンコ機盤等が適用される。
開閉扉２０は、上縁部２１の図中の右端側（前面から見た場合は左端側）には、上側ヒンジユニット３０のヒンジ本体部３２を取り付けたアーム体３３を回転可能に軸支する取付用座金３４を収容可能な座金収容部２１ａが取付用座金３４の長さおよび幅と略同一の寸法をもって切り欠いた形態で形成されている。この座金収容部２１ａに取付用座金３４がネジ等により取り付けられ、固定される。
また、開閉扉２０は、下縁部２２の図中の右端側（前面から見た場合は左端側）には、下側ヒンジユニット４０のヒンジ本体部４２を取り付けたアーム体４３を回転可能に軸支する取付用座金４４を収容可能な座金収容部２２ａが取付用座金４４の長さおよび幅と略同一の寸法をもって切り欠いた形態で形成されている。この座金収容部２２ａに取付用座金４４がネジ等により取り付けられ、固定される。
【００２７】
上側ヒンジユニット３０は、図１および図２に示すように、マウンティングプレート３１、ヒンジ本体部３２、アーム体３３、取付用座金３４、およびロック部３５を主構成要素として有している。
【００２８】
図４は、本実施形態に係る上側ヒンジユニット３０のマウンティングプレート３１を示す斜視図である。
【００２９】
マウンティングプレート３１は、図２および図４に示すように、上板３１１と、背板３１２と、下板３１３とにより、断面が略コ字形状をなし、直方体形状をなすヒンジ本体部３２を収容可能な収容空間３１４が形成されている。マウンティングプレート３１は、上板３１１の上面と取付用枠体１０の天板１１の上面とを平坦となるように取り付けた際に、下板３１３の上面３１３ａが取付用枠体１０の天板１１の下面と当接するような間隔をもつように形成されている。
上板３１１の図中左端部は垂下するように屈曲させた折り返し部３１１ａが形成され、折り返し部３１１ａは前方側に、たとえば左側方からの違物の挿入を防止する防犯プレート３１１ｂが延設されている。折り返し部３１１ａには、マウンティングプレート３１を取付用枠体１０の側板１２の外側面にネジで固定するためのネジ孔３１１ｃが複数（たとえば２個）形成されている。
下板３１３の図中左端部は垂下するように屈曲させた折り返し部３１３ｂが形成され、折り返し部３１１ｂには、マウンティングプレート３１を取付用枠体１０の側板１２の内側面にネジで固定するためのネジ孔３１３ｃが複数（たとえば２個）形成されている。また、下板３１３の図中右端側には、取付用枠体１０の天板１１の下面にネジで固定するためのネジ孔３１３ｄが複数（たとえば２個）３形成されている。
マウンティングプレート３１は、上板３１１と下板３１３とが、長さ方向において端部が互いにずれた状態で配置されている。
具体的には、上板３１１側の折り返し部３１１ａと下板３１３の折り返し部３１３ｂとの間隔が、取付用枠体１０の側板１２の厚さと略同一の寸法を持ち、上述したように、取付用枠体１０の側板１２の外側面および内側面にネジで固定可能なように構成されている。その分、下板３１３の図中右端部が上板３１１の右端部より図中右側に突出し、上述したように取付用枠体１０の天板１１の下面にネジで固定可能なように構成されている。
【００３０】
さらに、マウンティングプレート３１は、下板３１３の折り返し部近傍とこれと対向する上板３１１の所定位置に両端が取り付けられた円柱状のピンからなる第１の被係止部３１５が収容空間３１４に設けられている。
また、マウンティングプレート３１は、上板３１３の図中右端側の所定位置とこれと対向する下板３１３の所定位置に両端が取り付けられた円柱状のピンからなる第２の被係止部３１６が収容空間３１４に設けられている。
【００３１】
図５は、本実施形態形態に係るヒンジ本体部、アーム体、およびロック部の構成を説明するための図である。
【００３２】
ヒンジ本体部３２は、図２に示すように、上板３２１と、背板３２２と、下板３２３とにより、前面側が開口した断面が略コ字形状をなし、マウンティングプレート３１の収容空間３１４に収容可能な大きさに構成されている。
図２および図５に示すように、ヒンジ本体部３２の上板３２１および下板３２３の図中左端の背板３２２の近傍に、マウンティングプレート３１に設けられた第１の被係止部３１５を挿入可能、換言すれば、第１の被係止部３１５に係止自在な切欠状の第１の係止部３２４が形成されている。そして、背板３２２から第１の係止部３２４にかけては、ヒンジ本体部３２をマウンティングプレート３１に収容し、第１の係止部３２４を第１の被係止部３１５に係止させる際に、円柱状のピンからなる第１の被係止部３１５の側面が摺接しながら切欠状の第１の係止部３２４にスムースに導けるように、テーパ部３２４ａが形成されている。
また、図２および図５に示すように、ヒンジ本体部３２の図中右端近傍に、背板３２２から上板３２１および下板３２３にかけてマウンティングプレート３１に設けられた第２の被係止部３１６を挿入可能、換言すれば、第２の被係止部３１６に係止可能な切欠状の第２の係止部３２５が形成されている。
また、図５に示すように、ヒンジ本体部３２の背板３２２の左端近傍には、後述するアーム体３３の第１リンクアームの端部を背板３２２から後方に突出することを許容する開口部３２２ａが形成されている。
【００３３】
アーム体３３は、図２および図５に示すように、第１リンクアーム３３１と第２リンクアーム３３２とを有する。
第１リンクアーム３３１は、所定角度だけ屈曲させ、断面が略コ字形状をなす一側部が開口した形状をなし、一端部がヒンジ本体部３２の開口部３２２ａ近傍において、両端部がヒンジ本体部３２の上板３２１と下板３２３に取り付けられた円柱状の軸支ピン３２６に回転可能に軸支され、他端側が、取付用座金３４の一端部近傍（開閉扉２０の前面から見て左端側）に設けられた円柱状の軸支ピン３４１に軸支されている。この際、スペーサ（ワッシャ）３３１ａ，３３１ｂを介在させて軸支される。
第２リンクアーム３３２は、所定角度だけ屈曲させ、断面が略コ字形状をなす一側部が開口した形状をなし、一端部がヒンジ本体部３２の中央部より右端側でかつ若干前面側において、両端部がヒンジ本体部３２の上板３２１と下板３２３に取り付けられた円柱状の軸支ピン３２７に回転可能に軸支され、他端側が、取付用座金３４の本中央部に設けられた円柱状の軸支ピン３４２に軸支されている。この際、スペーサ３３２ａ，３３２ｂを介在させて軸支される。
なお、第１リンクアーム３３１の背板３３１ｃに、第２リンクアーム３３２の屈曲部の一部が当接した状態となっている。
また、第２リンクアーム３３２の一端部を軸支する軸支ピン３２７の近傍には、ヒンジ本体部３２の上板３２１と下板３２３に取り付けられた円柱状の係止ピン３２８が設けられている。そして、軸支ピン３２７には付勢手段としてのコイルバネ３３３が挿入され、コイルバネ３３３の一端部３３３ａが係止ピン３２８に係止され、他端部３３３ｂが第２リンクアーム３３２の背板３３２ｃの端部に係止されている。すなわち、コイルバネ３３３は、第２リンクアーム３３２を取付用座金３４が開く方向（図５では、左下方）に所定の弾性力をもって付勢し、取付用座金３４がヒンジ本体部３２の前面側に対して９５°の角度をもって開いた状態に保持する。
【００３４】
取付用座金３４は、図２に示すように、上板３４３と、背板３４４と、下板３４５とにより、前面側が開口した断面が略コ字形状をなし、下板３４５は、垂下するように折り返された折り返し部３４６が延設されている。
そして、折り返し部３４６には、開閉扉２０の裏面側にネジ止めするめのネジ孔３４６ａが複数（たとえば２個）形成されている。
【００３５】
ロック部３５は、ヒンジ本体部３２に収容された状態で配置されている。ロック部３５は、ヒンジ本体部３２の前面側に位置するロック解除レバー３５１と、Ｌ字状をなすようにロック解除レバー３５１から略直角に屈曲させた延設部３５２と、延設部３５２の端部にロック解除レバー３５１に略平行するように形成されたロック用爪片３５３と、取付部３５４を有する。
ロック部３５は、取付部３５４の形成された軸支孔３５４ａに、両端部がヒンジ本体部３２の上板３２１と下板３２３に取り付けられた円柱状の軸支ピン３２９が挿入されて回転可能に軸支される。
また、図５に示すように、軸支ピン３２９には、付勢手段としてのコイルバネ３５５が挿入されており、コイルバネ３５５の一端部３５５ａがヒンジ本体部３２の第２の係止部３２５における背板３２２に係止され、他端部３５５ｂがロック解除レバー３５１の背面側に係止される。
【００３６】
このようにセットされるロック部３５は、ロック解除レバー３５１に対して押圧力が加えられていない場合は、図５に示すように、ロック用爪片３５３が、ヒンジ本体部３２の第２の係止部３２５のマウンティングプレート３１の第２の被係止部３１６との係止可能領域に臨むように付勢される。
また、ロック用爪片３５３には、ヒンジ本体部３２をマウンティングプレート３１に収容し、第２の係止部３２５を第２の被係止部３１６に係止させる際に、円柱状のピンからなる第２の被係止部３１６の側面が摺接しながら切欠状の第２の係止部３２５にスムースに導けるように、テーパ部３５３ａが形成されている。
【００３７】
ヒンジ本体部３２の第２の係止部３２５をマウンティングプレート３１の第２の被係止部３１６に係止させるときには、第２の被係止部３１６によりロック用爪片３５３のテーパ部３５３ａに対してコイルバネ３５５の弾性力（付勢力）に抗する押圧力を付与しながら、ロック用爪片３５３を係止可能領域から退避する方向に移動させ（図５では左方向）、第２の係止部３２５が第２の被係止部３１６との係止状態を維持できる位置で押圧力を解除して、ロック用爪片３５３を係止可能領域に復帰させて第２の係止部３２５と第２の被係止部３１６との係止状態をロックする。
第２の係止部３２５と第２の被係止部３１６とのロック状態を解除するときは、ロック解除レバー３５１に対してコイルバネ３５５の付勢力に抗する力を受けてロック用爪片３５３を係止可能領域から退避させる。
【００３８】
また、ロック部３５は、ヒンジ本体部３２の第１の係止部３２４がマウンティングプレート３１の第１の被係止部３２４に対して係止状態にあるときのみ、ヒンジ本体部３２の第２の係止部３２５のマウンティングプレート部３１の第２の被係止部３１６に対する係止状態をロック可能に配置されている。
換言すれば、ロック部３５は、図６（Ａ）に示すように、ヒンジ本体部３２の第１の係止部３２４がマウンティングプレート３１の第１の被係止部３２４に対して非係止状態にあるときは、図６（Ｂ）に示すように、ヒンジ本体部３２の第２の係止部３２５のマウンティングプレート部３１の第２の被係止部３１６に対する係止状態をロックできないように構成されている。
【００３９】
下側ヒンジユニット４０は、図１および図３に示すように、マウンティングプレート４１、ヒンジ本体部４２、アーム体４３、取付用座金４４、およびロック部４５を主構成要素として有している。
【００４０】
図７は、本実施形態に係る上側ヒンジユニット３０のマウンティングプレート３１を示す斜視図である。
【００４１】
マウンティングプレート４１は、図３および図７に示すように、上板４１１と、背板４１２と、下板４１３とにより、断面が略コ字形状をなし、直方体形状をなすヒンジ本体部４２を収容可能な収容空間４１４が形成されている。
上板４１１の図中左端部は上方側に略直交するように屈曲させた折り返し部４１１ａが形成されている。折り返し部４１１ａには、マウンティングプレート４１を取付用枠体１０の側板１２の内側面にネジで固定するためのネジ孔４１１ｂが複数（たとえば２個）形成されている。
下板４１３は、前面側に延設した延設部４１３ａが設けられ、延設部４１３ａの長手方向の左端部は上方側に略直交するように屈曲させた防犯プレート４１３ｂが形成され、防犯プレート４１３ｂは前方側に、たとえば左側方からの異物の挿入を防止する。
また、下板４１３の略中央部において所定範囲に亘って切り欠かれており、その切欠片４１３ｃが垂下するように折り返されている。この切欠片４１３ｃには、図１に示すように、取付用枠体１０の底板１４の上面１４ａに背面側に下方に段差を付けた段差部１４ｂに対してネジで固定するための図示しないネジ孔が複数（たとえば２個）形成されている。
マウンティングプレート４１は、上板４１１と下板４１３とが、長さ方向において端部が互いにずれた状態で配置されている。
具体的には、上板４１１側の折り返し部４１１ａと下板４１３の折り返し部である防犯プレート４１３ｂとの間隔が、取付用枠体１０の側板１２の厚さと略同一の寸法を持ち、上述したように、取付用枠体１０の側板１２の内側面にネジで固定可能で、防犯プレート４１３ｂが取付用枠体１０の側板１２の外側面と略一致する位置となるように構成されている。
【００４２】
さらに、マウンティングプレート４１は、上板４１１の折り返し部近傍とこれと対向する下板４１３の所定位置に両端が取り付けられた円柱状のピンからなる第１の被係止部４１５が収容空間４１４に設けられている。
また、マウンティングプレート４１は、上板４１３の図中右端側の所定位置とこれと対向する下板４１３の所定位置に両端が取り付けられた円柱状のピンからなる第２の被係止部４１６が収容空間４１４に設けられている。
【００４３】
ヒンジ本体部４２は、図３に示すように、上板４２１と、背板４２２と、下板４２３とにより、前面側が開口した断面が略コ字形状をなし、マウンティングプレート４１の収容空間４１４に収容可能な大きさに構成されている。
図３および図５に示すように、ヒンジ本体部４２の上板４２１および下板４２３の図中左端の背板４２２の近傍に、マウンティングプレート４１に設けられた第１の被係止部４１５を挿入可能、換言すれば、第１の被係止部４１５に係止自在な切欠状の第１の係止部４２４が形成されている。そして、背板４２２から第１の係止部４２４にかけては、ヒンジ本体部４２をマウンティングプレート４１に収容し、第１の係止部４２４を第１の被係止部４１５に係止させる際に、円柱状のピンからなる第１の被係止部４１５の側面が摺接しながら切欠状の第１の係止部４２４にスムースに導けるように、テーパ部４２４ａが形成されている。
また、図３および図５に示すように、ヒンジ本体部４２の図中右端近傍に、背板４２２から上板４２１および下板４２３にかけてマウンティングプレート４１に設けられた第２の被係止部４１６を挿入可能、換言すれば、第２の被係止部４１６に係止可能な切欠状の第２の係止部４２５が形成されている。
また、図５に示すように、ヒンジ本体部４２の背板４２２の左端近傍には、後述するアーム体４３の第１リンクアームの端部を背板４２２から後方に突出することを許容する開口部４２２ａが形成されている。
【００４４】
アーム体４３は、図３および図５に示すように、第１リンクアーム４３１と第２リンクアーム４３２とを有する。
第１リンクアーム４３１は、所定角度だけ屈曲させ、断面が略コ字形状をなす一側部が開口した形状をなし、一端部がヒンジ本体部４２の開口部４２２ａ近傍において、両端部がヒンジ本体部４２の上板４２１と下板４２３に取り付けられた円柱状の軸支ピン４２６に回転可能に軸支され、他端側が、取付用座金４４の一端部近傍（開閉扉２０の前面から見て左端側）に設けられた円柱状の軸支ピン４４１に軸支されている。この際、スペーサ４３１ａ，４３１ｂを介在させて軸支される。
第２リンクアーム４３２は、所定角度だけ屈曲させ、断面が略コ字形状をなす一側部が開口した形状をなし、一端部がヒンジ本体部４２の中央部より右端側でかつ若干前面側において、両端部がヒンジ本体部４２の上板４２１と下板４２３に取り付けられた円柱状の軸支ピン４２７に回転可能に軸支され、他端側が、取付用座金４４の本中央部に設けられた円柱状の軸支ピン４４２に軸支されている。この際、スペーサ４３２ａ，４３２ｂを介在させて軸支される。
なお、第１リンクアーム４３１の背板４３１ｃに、第２リンクアーム４３２の屈曲部の一部が当接した状態となっている。
また、第２リンクアーム４３２の一端部を軸支する軸支ピン４２７の近傍には、ヒンジ本体部４２の上板４２１と下板４２３に取り付けられた円柱状の係止ピン４２８が設けられている。そして、軸支ピン４２７にはコイルバネ４３３が挿入され、コイルバネ４３３の一端部４３３ａが係止ピン４２８に係止され、他端部４３３ｂが第２リンクアーム４３２の背板４３２ｃの端部に係止されている。すなわち、コイルバネ４３３は、第２リンクアーム４３２を取付用座金４４が開く方向（図５では、左下方）に所定の弾性力をもって付勢し、取付用座金４４がヒンジ本体部４２の前面側に対して９５°の角度をもって開いた状態に保持する。
【００４５】
取付用座金４４は、図３に示すように、上板４４３と、背板４４４と、下板４４５とにより、前面側が開口した断面が略コ字形状をなし、上板４４３は、図中上方に略直交するように折り返された折り返し部４４６が延設されている。
そして、折り返し部４４６には、開閉扉２０の裏面側にネジ止めするめのネジ孔４４６ａが複数（たとえば２個）形成されている。
【００４６】
ロック部４５は、ヒンジ本体部４２に収容された状態で配置されている。ロック部４５は、ヒンジ本体部４２の前面側に位置するロック解除レバー４５１と、Ｌ字状をなすようにロック解除レバー４５１から略直角に屈曲させた延設部４５２と、延設部４５２の端部にロック解除レバー４５１に略平行するように形成されたロック用爪片４５３と、取付部４５４を有する。
ロック部４５は、取付部４５４の形成された軸支孔４５４ａに、両端部がヒンジ本体部４２の上板４２１と下板４２３に取り付けられた円柱状の軸支ピン４２９が挿入されて回転可能に軸支される。
また、図５に示すように、軸支ピン４２９には、付勢手段としてのコイルバネ４５５が挿入されており、コイルバネ４５５の一端部４５５ａがヒンジ本体部４２の第２の係止部４２５における背板４２２に係止され、他端部４５５ｂがロック解除レバー４５１の背面側に係止される。
【００４７】
このようにセットされるロック部４５は、ロック解除レバー４５１に対して押圧力が加えられていない場合は、図５に示すように、ロック用爪片４５３が、ヒンジ本体部４２の第２の係止部４２５のマウンティングプレート４１の第２の被係止部４１６との係止可能領域に臨むように配置される。
また、ロック用爪片４５３には、ヒンジ本体部４２をマウンティングプレート４１に収容し、第２の係止部４２５を第２の被係止部４１６に係止させる際に、円柱状のピンからなる第２の被係止部４１６の側面が摺接しながら切欠状の第２の係止部４２５にスムースに導けるように、テーパ部４５３ａが形成されている。
【００４８】
ヒンジ本体部４２の第２の係止部４２５をマウンティングプレート４１の第２の被係止部４１６に係止させるときには、第２の被係止部４１６によりロック用爪片４５３のテーパ部４５３ａに対してコイルバネ４５５の弾性力（付勢力）に抗する押圧力を付与しながら、ロック用爪片４５３を係止可能領域から退避する方向に移動させ（図５では左方向）、第２の係止部４２５が第２の被係止部４１６との係止状態を維持できる位置で押圧力を解除して、ロック用爪片４５３を係止可能領域に復帰させて第２の係止部４２５と第２の被係止部４１６との係止状態をロックする。
第２の係止部４２５と第２の被係止部４１６とのロック状態を解除するときは、ロック解除レバー４５１に対してコイルバネ４５５の付勢力に抗する力を受けてロック用爪片４５３を係止可能領域から退避させる。
【００４９】
また、ロック部４５は、ヒンジ本体部４２の第１の係止部４２４がマウンティングプレート４１の第１の被係止部４２４に対して係止状態にあるときのみ、ヒンジ本体部４２の第２の係止部４２５のマウンティングプレート部４１の第２の被係止部４１６に対する係止状態をロック可能に付勢されている。
換言すれば、ロック部４５は、図６（Ａ）に示すように、ヒンジ本体部４２の第１の係止部４２４がマウンティングプレート４１の第１の被係止部４２４に対して非係止状態にあるときは、図６（Ｂ）に示すように、ヒンジ本体部４２の第２の係止部４２５のマウンティングプレート部４１の第２の被係止部４１６に対する係止状態をロックできないように構成されている。
【００５０】
図８は、以上のような構成を有する上側ヒンジユニット３０のヒンジ本体部３２、アーム体３３、および取付用座金３４を組み立てたアッセンブリーを示す斜視図である。
このように組み立てられた上側ヒンジユニット３０は、図１に示すように、開閉扉２０の上縁部２１の図中の右端側（前面から見た場合は左端側）に形成された座金収容部２１ａがに対して、上側ヒンジユニット３０のヒンジ本体部３２を取り付けたアーム体３３を回転可能に軸支する取付用座金３４がネジ等により取り付けられ、固定される。
【００５１】
同様に、図９は、下側ヒンジユニット４０のヒンジ本体部４２、アーム体４３、および取付用座金４４を組み立てたアッセンブリーを示す斜視図である。
このように組み立てられた下側ヒンジユニット４０は、図１に示すように、開閉扉２０の下縁部２２の図中の右端側（前面から見た場合は左端側）に形成された座金収容部２２ａに対して取付用座金４４がネジ等により取り付けられ、固定される。
【００５２】
以上の上側ヒンジユニット３０のヒンジ本体部３２、アーム体３３、および取付用座金３４を組み立てたアッセンブリー、並びに、下側ヒンジユニット４０のヒンジ本体部４２、アーム体４３、および取付用座金４４の開閉扉２０への取り付けは、開閉扉２０を所望の位置に立てかけた状態あるいは寝かせた状態等、作業し易い状態に維持して容易に行うことが可能である。
【００５３】
また、上側ヒンジユニット３０のマウンティングプレート部３１は、図１に示すように、扉取付用枠体１０に形成されたプレート収容部１１ａに対してネジ等により取り付けられ、固定される。
同様に、下側ヒンジユニット４０のマウンティングプレート部４１は、図１に示すように、扉取付用枠体１０の底板１４の図中の左端側上面１４ａに対してネジ等により取り付けられ、固定される。
【００５４】
以上の上側ヒンジユニット３０のマウンティングプレート部３１および下側ヒンジユニット４０のマウンティングプレート部４１の取付用枠体１０の取り付けも、単にプレートを所定の位置にネジ止めするだけであることから、容易に行うことが可能である。
【００５５】
次に、上側ヒンジユニット３０のヒンジ本体部３２、アーム体３３、および取付用座金３４を組み立てたアッセンブリー、並びに、下側ヒンジユニット４０のヒンジ本体部４２、アーム体４３、および取付用座金４４が取り付けられた開閉扉２０を、上側ヒンジユニット３０のマウンティングプレート部３１および下側ヒンジユニット４０のマウンティングプレート部４１が取り付けられた取付用枠体１０への取り付け作業および取り外し作業について説明する。
【００５６】
まず、開閉扉２０の取付用枠体１０への取り付け作業について、図１、図１０（Ａ）〜（Ｄ）、および図１１〜図１５に関連付けて説明する。
【００５７】
図１に示すように、開閉扉２０においては、上側ヒンジユニット３０の第２リンクアーム３３２がコイルバネ３３３により所定の弾性力をもって取付用座金３４が開く方向に付勢され、取付用座金３４がヒンジ本体部３２の前面側に対して９５°の角度をもって開いた状態に保持されている。
同様に、下側ヒンジユニット４０の第２リンクアーム４３２がコイルバネ４３３により所定の弾性力をもって取付用座金４４が開く方向に付勢され、取付用座金４４がヒンジ本体部４２の前面側に対して９５°の角度をもって開いた状態に保持されている。
このような開閉扉２０を持ち上げて、上側ヒンジユニット３０のマウンティングプレート部３１の収容空間３１４に、ヒンジ本体部３２の背板３２２が挿入可能で、下側ヒンジユニット４０のマウンティングプレート部４１の収容空間４１４にヒンジ本体部４２の背板４２２が挿入可能な位置に大略位置調整する。
【００５８】
この状態で、図１０（Ａ）または（Ｂ）および図１１，図１２に示すように、ヒンジ本体部３２，４２をマウンティングプレート部３１，４１の収容空間３１４，４１４に、第１の係止部３２４，４２４側から挿入し、第１の被係止部３１５，４１５に向かってさらに奥に挿入する。
そして、第１の係止部３２４，４２４を第１の被係止部３１５，４１５に係止させる（押し当てる）。
【００５９】
次に、図１０（Ｃ）および図１２に示すように、押し当てた円柱状のピンからなる第１の被係止部３１５，４１５を軸に、ヒンジ本体部３２，４２の第２の係止部３２５，４２５側をマウンティングプレート部３１，４１の収容空間３１４，４１４に挿入するように回転させ、第２の被係止部３１６，４１６に向かってさらに奥に回転させ、挿入する。
そして、第２の係止部３２５，４２５を第２の被係止部３１６，４１６に係止させる（押し当てる）。
【００６０】
このヒンジ本体部３２の第２の係止部３２５をマウンティングプレート３１の第２の被係止部３１６に係止させるときには、第２の被係止部３１６によりロック用爪片３５３のテーパ部３５３ａに対してコイルバネ３５５の弾性力に抗する押圧力を付与しながら、ロック用爪片３５３が係止可能領域から退避する方向に移動される。そして、第２の係止部３２５が第２の被係止部３１６との係止状態を維持できる位置で押圧力が解除されて、ロック用爪片３５３が係止可能領域に復帰され、第２の係止部３２５と第２の被係止部３１６との係止状態がロックされる。
同様に、ヒンジ本体部４２の第２の係止部４２５をマウンティングプレート４１の第２の被係止部４１６に係止させるときには、第２の被係止部４１６によりロック用爪片４５３のテーパ部４５３ａに対してコイルバネ４５５の弾性力に抗する押圧力を付与しながら、ロック用爪片４５３が係止可能領域から退避する方向に移動される。そして、第２の係止部４２５が第２の被係止部４１６との係止状態を維持できる位置で押圧力が解除されて、ロック用爪片４５３が係止可能領域に復帰され、第２の係止部４２５と第２の被係止部４１６との係止状態がロックされる。
これにより、図１０（Ｄ）および図１３に示すように、開閉扉２０側に取り付けられたヒンジ本体部４２を取付用枠体１０に取り付けられたマウンティングプレート３１，４１への取り付けが終了する。
【００６１】
図１４は、開閉扉２０に遊技機であるパチンコ機盤を適用した場合の取り付け直後の状態を示している。
図１４に示すように、開閉扉２０は、上側ヒンジユニット３０の第２リンクアーム３３２がコイルバネ３３３による所定の弾性力および下側ヒンジユニット４０の第２リンクアーム４３２がコイルバネ４３３による所定の弾性力により、取付用枠体１０の前面側に対して９５°の角度をもって開いた状態に保持される。
このように取り付けられた開閉扉２０は、図１５（Ａ）〜（Ｃ）に示すように、０°の閉じた状態から９５°の開いた状態との間で開閉される。
【００６２】
なお、開閉扉２０は、上側ヒンジユニット３０の第２リンクアーム３３２のコイルバネ３３３および下側ヒンジユニット４０の第２リンクアーム４３２のコイルバネ４３３により、取付用枠体１０の前面側に対して９５°の角度をもって開いた状態に保持する所定の弾性力を受けているが、一旦、取付用枠体１０に退位して取り付けてしまえば、扉の自重がかかるために、勝手に開いてしまうことはない。
【００６３】
また、開閉扉２０の重量が重くても、開閉中は常に扉の一部が取付枠体１０の底板１４上に取り付けされた下側ヒンジユニット４０のマウンティングプレート４１の上にあるので、扉の垂れなどによる落ち込みはない。
【００６４】
次に、開閉扉２０の取付用枠体１０への取り外し作業について、図１６（Ａ）〜（Ｃ）に関連付けて説明する。
【００６５】
まず、第２の係止部３２５と第２の被係止部３１６とのロック状態を解除するために、図１６（Ａ）に示すように、ロック解除レバー３５１に対してコイルバネ３５５の付勢力に抗する力を加えてロック解除レバー３５１を押し込み、ロック用爪片３５３を係止可能領域から退避させる。
同様に、第２の係止部４２５と第２の被係止部４１６とのロック状態を解除するために、図１６（Ａ）に示すように、ロック解除レバー４５１に対してコイルバネ４５５の付勢力に抗する力を加えてロック解除レバー４５１を押し込み、ロック用爪片４５３を係止可能領域から退避させる。
【００６６】
この状態から、図１６（Ｂ）に示すように、円柱状のピンからなる第１の被係止部３１５，４１５を軸に、ヒンジ本体部３２，４２の第２の係止部３２５，４２５側をマウンティングプレート部３１，４１の収容空間３１４，４１４から取り出すように回転させる。
次に、図１６（Ｃ）に示すように、図中、右下方向に開閉扉２０を引いて第１の係止部３２４，４２４の第１の被係止部３１５，４１５に対する係止状態を解除する。
そして、マウンティングプレート部３１，４１の収容空間３１４，４１４からヒンジ本体部３２，４２を取り出すように開閉扉２０を引くことにより取り外し作業が終了する。
【００６７】
以上説明したように、本実施形態によれば、上側および下側ヒンジユニット３０，４０は、第１の係止部３２４，４２４と第２の係止部３２５，４２５が形成されたヒンジ本体部３２，４２と、枠体１０に取り付け可能、ヒンジ本体部３２，４２を収容可能で、ヒンジ本体部３２，４２の第１の係止部３２４，４２４と係止自在な第１の被係止部３１５，４１５と、ヒンジ本体部３２，４２が略収容された状態で、ヒンジ本体部３２，４２の第２の係止部３２５，４２５が係止する第２の被係止部３１６，４１６とを有するマウンティングプレート３１，４１と、一端側が扉２０の所定の位置に取り付けられた取付用座金３４，４４に回転可能に軸支され、他端側がヒンジ本体部の所定の位置に軸支されたアーム体３３，４３と、ヒンジ本体部３２，４２の第２の係止部３２５，４２５の第２の被係止部３１６，４１６に対する係止状態をロック可能で、このロック状態を解除可能なロック部３５，４５と、を有することから、以下の効果を得ることができる。
すなわち、広範囲の自由度をもって開閉扉の着脱作業を行うことができることはもとより、扉の大きさにかかわらず、細心の注意を払うことなく取り付け、取り外し（着脱）作業自体を容易に行うことができる。
また、無理な姿勢をしいることなく、また熟練を要することなく、扉を着脱可能で、また、ヒンジ本体の取り付け作業にも制約を受けることがないという利点がある。
また、ヒンジ本体部３２，４３がマウンティングプレート３１，４１に収容されているとき、ロック解除レバー３５１，４５１もマウンティングプレート３１，４１内に収容されることから、扉の開閉動作やある作業中に枠体１０の上板１１や下板１４等にある物が当たったとしても、不要にロックが解除されることを防止できる利点がある。
【００６８】
なお、上述した実施形態では、扉の一例としてパチンコ機盤を適用した場合を説明したが、本発明はこれに限定されるものではなく、種々の着脱可能な扉装置に適用可能である。
【００６９】
【発明の効果】
以上説明したように、本発明によれば、広範囲の自由度をもって開閉扉の着脱作業を行うことができることはもとより、扉の大きさにかかわらず、細心の注意を払うことなく取り付け、取り外し（着脱）作業自体を容易に行うことができる。
また、無理な姿勢をしいることなく、また熟練を要することなく、扉扉を着脱可能で、また、ヒンジ本体の取り付け作業にも制約を受けることがないという利点がある。
【図面の簡単な説明】
【図１】本発明に係るヒンジを採用した扉装置の一実施形態を示す外観図であって、扉を扉取付用枠体に取り付ける前の外観図である。
【図２】本実施形態に係る上側ヒンジユニットの分解斜視図である。
【図３】本実施形態に係る下側ヒンジユニットの分解斜視図である。
【図４】本実施形態に係る上側ヒンジユニットのマウンティングプレートを示す斜視図である。
【図５】図５は、本実施形態形態に係るヒンジ本体部、アーム体、およびロック部の構成を説明するための図である。
【図６】本実施形態に係るロック部の機能を説明するための図であって、（Ａ）は第１の係止部と第１の被係止部が非係止状態にある場合を示す図、（Ｂ）は第１の係止部と第１の被係止部が非係止状態にある場合にはロック部は第２の係止部と第２の被係止部の係止状態をロックしないことを示す図である。
【図７】本実施形態に係る下側ヒンジユニットのマウンティングプレートを示す斜視図である。
【図８】本実施形態に係る上側ヒンジユニットのヒンジ本体部、アーム体、および取付用座金を組み立てたアッセンブリーを示す斜視図である。
【図９】本実施形態に係る下側ヒンジユニットのヒンジ本体部、アーム体、および取付用座金を組み立てたアッセンブリーを示す斜視図である。
【図１０】（Ａ）〜（Ｄ）は開閉扉の取付用枠体への取り付け作業を説明するための図である。
【図１１】開閉扉の取付用枠体への取り付け作業を説明するための図である。
【図１２】開閉扉の取付用枠体への取り付け作業を説明するための図である。
【図１３】開閉扉の取付用枠体への取り付け作業を説明するための図である。
【図１４】開閉扉を取付用枠体に取り付け状態を示す図である。
【図１５】（Ａ）〜（Ｃ）は取付用枠体に取り付けた開閉扉の開閉状態を示す図である。
【図１６】（Ａ）〜（Ｃ）は開閉扉の取付用枠体からの取り外し作業を説明するための図である。
【図１７】一般的なピボットヒンジを用いた扉装置において開閉扉を取付用枠体に取り付ける作業を説明するための図である。
【符号の説明】
１０…取付用枠体、１１…天板、１２，１３…側板、１４…底板、２０…開閉扉、３０…上側ヒンジユニット、３１…マウンティングプレート、３１１…上板、３１１ｂ…防犯プレート、３１４…収容空間、３１５…第１の被係止部、３１６…第２の被係止部、３２…ヒンジ本体部、３２４…第１の係止部、３２５…第２の係止部、３３…アーム体、３３１…第１リンクアーム、３３２…第２リンクアーム、３４…取付用座金、３５…ロック部、３５１…ロック解除レバー、３５２…延設部、３５３…ロック用爪片、３５４…取付部、３５５…コイルバネ、４０…下側ヒンジユニット、４１…マウンティングプレート、４１１…上板、４１１ｂ…防犯プレート、４１４…収容空間、４１５…第１の被係止部、４１６…第２の被係止部、４２…ヒンジ本体部、４２４…第１の係止部、４２５…第２の係止部、４３…アーム体、４３１…第１リンクアーム、４３２…第２リンクアーム、４４…取付用座金、４５…ロック部、４５１…ロック解除レバー、４５２…延設部、４５３…ロック用爪片、４５４…取付部、４５５…コイルバネ。
【図１】
2005027780.tif 000003
【図２】
2005027780.tif 000004
【図３】
2005027780.tif 000005
【図４】
2005027780.tif 000006
【図５】
2005027780.tif 000007
【図６】
2005027780.tif 000008
【図７】
2005027780.tif 000009
【図８】
2005027780.tif 000010
【図９】
2005027780.tif 000011
【図１０】
2005027780.tif 000012
【図１１】
2005027780.tif 000013
【図１２】
2005027780.tif 000014
【図１３】
2005027780.tif 000015
【図１４】
2005027780.tif 000016
【図１５】
2005027780.tif 000017
【図１６】
2005027780.tif 000018
【図１７】
2005027780.tif 000019
【手続補正書】
【提出日】平成15年12月18日(2003.12.18)
【手続補正１】
【補正対象書類名】図面
【補正対象項目名】全図
【補正方法】変更
【補正の内容】
【図１】
2005027780.tif 000020
【図２】
2005027780.tif 000021
【図３】
2005027780.tif 000022
【図４】
2005027780.tif 000023
【図５】
2005027780.tif 000024
【図６】
2005027780.tif 000025
【図７】
2005027780.tif 000026
【図８】
2005027780.tif 000027
【図９】
2005027780.tif 000028
【図１０】
2005027780.tif 000029
【図１１】
2005027780.tif 000030
【図１２】
2005027780.tif 000031
【図１３】
2005027780.tif 000032
【図１４】
2005027780.tif 000033
【図１５】
2005027780.tif 000034
【図１６】
2005027780.tif 000035
【図１７】
2005027780.tif 000036